(57)【要約】      （修正有）【課題】コンパクトで保管や携帯などの取り扱いが非常に容易で、、ペレットなどのリサイクル性の固形燃料の使用が可能で燃料費用を顕著に削減させることができる携用暖炉を提供する。【解決手段】上、下部が開放されて固形燃料が投入される垂直管１１０の下部の周りには上向き拡張形態の火炎誘導板１２０と、この火炎誘導板１２０の内側下部に位置する垂直管１１０にその内部と煙筒する点火孔１３０が形成された燃焼部１００、一側上段の内側に上記の燃焼部の下部が嵌め込み結合されるように燃焼部の結合段差２１１が形成された曲線型の熱気誘導管２１０と、上記の熱気誘導管２１０の他方から延長形成される垂直型の排出管２２０になった“Ｊ”形の管体になった煙筒部２００、及び上記燃焼部１００と熱気誘導管２１０の間に、燃焼部の結合段差２１１に安着結びつく多数の通孔３１０を持つ濾版３００を設ける。【選択図】図１
2014190689.tif 000002
【特許請求の範囲】
【請求項１】
上、下部が開放されて固形燃料が投入される垂直管(110)の下部の周りには上向き拡張形態の火炎誘導板(120)が形成されて、上記の火炎誘導板(120)の内側の下部に位置する垂直管(110)にはその内部と煙筒する点火孔(130)が形成された燃焼部(100)、
一側上段の内側に上記の燃焼部(100)の下部が嵌め込み結合されるように燃焼部の結合段差(211)が形成された曲線型の熱気誘導管(210)と、上記の熱気誘導管(210)の他方から延長形成される垂直型の排出管(220)とされた“Ｊ”形の管体になった煙筒部(200)、
上記の燃焼部(100)と熱気誘導管(210)の間に位置して、上記の燃焼部の結合段差(211)に安着結びつく多数の通孔(310)を持つ濾版(300)、
を含んで構成することを特徴とするＵ字の管体形の携帯用暖炉。
【請求項２】
請求項１において、
上記の燃焼部(100)の上部を、固形燃料の大量受け入れおよび投入が容易なように上向き拡張型のホッパー(140)をさらに含んで構成する
ことを特徴とするＵ字の管体形の携帯用暖炉。
【請求項３】
請求項１において、
上記の煙筒部(200)の熱気誘導管(210)の底面に、残滓の排出口(212)を貫通形成して、上記の残滓の排出口(212)の外側にガイドレール(214)につれて開閉可能な開閉版(213)をさらに含んで構成する
ことを特徴とするＵ字の管体形の携帯用暖炉。
【請求項４】
請求項１において、
上記の煙筒部(200)の排出管(220)の上部に、内側にディスク(222)が形成されて、外部に上記のディスク(222)の回転を取り締まる回転レバー(223)が形成された煙筒開閉用のダンパー(221)をさらに含んで構成する
ことを特徴とするＵ字の管体形の携帯用暖炉。
【請求項５】
請求項１において、
上記の煙筒部(200)の熱気誘導管(210)の下部を支持する据置台(400)をさらに含んで構成するものの、上記の据置台(400)は、紙面に支持される支持版(410)と、上記の支持版板(410)の上部の両断で垂直形成される一方、上段に管の挿入の溝(421)が形成された対抗される一組の据置版(420)で構成する
ことを特徴とするＵ字の管体形の携帯用暖炉。
【請求項６】
請求項１において、
上記の煙筒部(200)の熱気誘導管(210)を覆い隠して、ドア(510)が形成された金属の函体の形態の外筒体(500)をさらに含んで構成する
ことを特徴とするＵ字の管体形の携帯用暖炉。
【発明の詳細な説明】
【技術分野】
【０００１】
本発明は携帯用暖炉に関し、より一層詳細には、分離形成される構造を持ちながら管体形で構成されてその体積が最小化されて、保管や携帯が手軽で、特に、ペレットなどのリサイクル性の固形燃料を使用することで燃料費の削減をもたらすようにするＵ字の管体形の携帯用暖炉に関する。
【背景技術】
【０００２】
一般的に、暖炉は室内を暖める暖房器具の一種として、農業・畜産業などといった産業現場や野営などの室外生活での使用など、その使用範囲が多様である。
【０００３】
一方、最近では、余暇活動の中の一つで家族単位の野営、すなわち、キャンピングを楽しむ人々が増えていて、これによってキャンピング用品の需要が増えている。
【０００４】
このようなキャンピング用品のうち、冬季や昼夜の気温差が激しい季節の変わり目などには暖炉が必需品として使われているが、一般的にキャンピングに使われる暖炉はその嵩が小さく携帯が手軽な流体の燃料(液化石油ガス・天然ガスなどの気体燃料や、軽油・ガソリンなどの液体燃料)を燃料にした暖炉が主をなしているのが実情である。
【０００５】
しかし、上記のような流体の燃料を利用した暖炉は、最近燃料の価格の高騰で使用が忌避視されており、ゆえに、これに代わって割安な薪（火木）を利用した暖炉の使用が急増している実情である。
【０００６】
一方、このような薪を利用した暖炉を調べれば、特許出願公開第１０−１９９８−０１９４２５号、特許出願登録第１０−１１３８１２７号と一緒に函体の形態で成り立った本体の内部に薪を投じて燃焼およびその本体から放射される熱によって暖房を遂行することになる。
【先行技術文献】
【特許文献】
【０００７】
【特許文献１】大韓民国特許出願公開第１０−１９９８−０１９４２５号公報
【特許文献２】大韓民国特許出願登録第１０−１１３８１２７号公報
【発明の概要】
【発明が解決しようとする課題】
【０００８】
しかし、上記のような薪を利用した従来の暖炉は燃料費の削減をもたらす長所はあるが、その形態が大型化されていて産業用での使用は適合するが、保管や携帯などの取り扱いが難しくて、設置場所が適合しないキャンピングなどの野外で使うには非常に不便な問題点があった。
【０００９】
本発明は、上記のような諸般の問題点を解決するためになされたものであって、本体を燃焼部と煙筒部が分離形成される折曲の管体形で構成することによって、その体積の縮小にともなう保管や携帯が非常に便利ながらも設置場所の制限を受けないようにするためのＵ字管体形携帯用暖炉を提供することを目的としている。
【００１０】
また、燃料の投入口をホッパー形態で構成するものの、ペレットなどのリサイクル性固形燃料の使用を可能とすることにより、燃料費用の顕著な削減をもたらすこととするためのＵ字管体形携帯用暖炉を提供することを目的としている。
【課題を解決するための手段】
【００１１】
このような目的を解決するため、本発明は、上、下部が開放されて固形燃料が投入される垂直管の下部の周りには上向き拡張形態の火炎誘導板が形成されて、上記の火炎誘導板の内側の下部に位置する垂直管にはその内部と煙筒する点火孔が形成された燃焼部、
一側上段の内側に上記の燃焼部の下部が嵌め込み結合されるように燃焼部の結合段差が形成された曲線型の熱気誘導管と、上記の熱気誘導管の他方から延長形成される垂直型の排出管になった“Ｊ”型の管体になった煙筒部、および
上記の燃焼部と熱気誘導管の間に位置して、上記の燃焼部の結合段差に安着結びつく多数の通孔を持つ濾板を含んで構成されている。
【発明の効果】
【００１２】
本発明によれば、以上のように本発明のＵ字管体形携帯用暖炉は、燃焼部と煙筒部で分離されたすらりとした管体の形態で構成されていて、その体積を縮小させることができ、これに伴う保管や携帯などの取り扱いが非常に容易で、設置場所にも大きく制限を受けなくてキャンピングなどの野外活動にも非常に効率的に使用できる効果を得ることができる。
【００１３】
また、火炎を発生させるための燃料をペレットなどのリサイクル固形燃料の使用が可能で燃料費用が顕著に節減される効果を得ることができる。
【図面の簡単な説明】
【００１４】
【図１】本発明のＵ字管体形携帯用暖炉の分解斜視図である。
【図２】本発明のＵ字管体形携帯用暖炉の結合の斜視図である。
【図３】本発明のＵ字管体形携帯用暖炉の結合の断面図である。
【図４】本発明のＵ字管体形携帯用暖炉の残滓排出口およびダンパーを示した実施例の図である。
【図５】本発明のＵ字管体形携帯用暖炉の設置状態を示した第２の実施例の図である。
【図６】本発明のＵ字の管体形の携帯用暖炉の設置状態を示した第３の実施例の図である。
【発明を実施するための形態】
【００１５】
本明細書および特許請求の範囲に使われた用語や単語は通常的や辞典的な意味で限定して解釈されてはならず、発明者は彼自身の発明を最善の方法で説明するために用語の概念を適切に定義することができるという原則に立って本発明の技術的思想に附合する意味と概念で解釈されなければならない。
【００１６】
したがって、本明細書に記載された実施例と図面に図示された構成は本発明の最も望ましいひとつの実施例に過ぎないだけで、本発明の技術的思想を全て代弁するのではないので、本出願の時点においてこれらを代替できる多様な均等物と変形例等がありえることを理解しなければならない。
【００１７】
以下、本発明の望ましい実施例を添付された図面を参照して詳細に説明する。
【００１８】
図1は、本発明のＵ字の管体形の携帯用暖炉の分解斜視図で、図2は本発明のＵ字の管体形の携帯用暖炉の結合の斜視図で、図3は本発明のＵ字の管体形の携帯用暖炉の結合の断面図である。
【００１９】
図1ないし図3に示しているように、本発明のＵ字の管体形の携帯用暖炉(1)は、燃焼部(100)と、煙筒部(200)と、濾板(300)で構成されている。
【００２０】
ここで、上記の燃焼部(100)は、上部および下部が開放された形態の円形管や角管の形態の垂直管(110)で構成されたことで、上記の垂直管(110)にはペレットなどの固形燃料を受容することができる。
【００２１】
この時、垂直管(110)の下部の周りには下部から上部へ向かうように次第に拡張される略椀型（上方に向かって拡径する所謂ラッパ形状）の火炎誘導板(120)が形成される。
【００２２】
また、垂直管(110)には上記の火炎誘導板(120)の内側の下部に位置するように表の周りに多数の点火孔(130)が形成される。
【００２３】
一方、上記の垂直管(110)の上部は下部から上部へ向かうように次第に拡張される略杯形態のホッパー(140)を構成できることで、上記のホッパー(140)は固形燃料の対向受け入れおよび投入される固形燃料の容易な投入が可能になる。
【００２４】
上記の煙筒部(200)は、上記の燃焼部(100)と結びつく熱気誘導管(210)と、煙気を外部で排出させることができるように排出管(220)が一体で連結形成された“Ｊ”形態の円形管や角管の形態で構成される。
【００２５】
ここで、熱気誘導管(210)は、“Ｕ”形態で曲線の折り曲げられた管体の形態で構成されて、その一側上段の内側には上記の燃焼部(100)の下段が嵌め込み結合されるように燃焼部の結合段差(211)が形成される。
【００２６】
排出管(220)は、上記の熱気誘導管(210)の他方上段で一体で延長形成されたことで、垂直管の形態を成り立って、その排出管(220)の高さは上記の燃焼部(100)の上段より高く構成するということが望ましい。
【００２７】
一方、図4の図示のように、上記の煙筒部(200)の熱気誘導管(210)の底面には、固形燃料が燃焼の後残った残滓を排出させることができるように残滓の排出口(212)をさらに形成して、その残滓の排出口(212)は開閉版(213)を通じて開閉可能に構成できるが、上記の開閉版(213)は残滓の排出口(212)の外側の周縁部に形成されるガイドレール(214)に沿ってスライディング開閉可能に構成される。
【００２８】
また、上記の煙筒部(200)の排出管(220)の上部には、煙筒部(200)を通じて循環する空気量を調節するためのダンパー(221)をさらに形成することができ、ダンパー(221)は排出管(220)の上部の内側でその内径を開閉できるディスク(222)が内入されて、そのディスク(222)は外部の回転レバー(223)により回転作動が可能に構成される。
【００２９】
上記の濾板(300)は、上記の熱気誘導管(210)の燃焼部の結合段差(211)に安着設置される一方、燃焼部(100)と熱気誘導管(210)の間に位置されることで、上記の燃焼部(100)に投入される固形燃料が積層されることであり、その濾板(300)には熱気の移動と灰の排出ができるように多数の通孔(310)が形成される。
【００３０】
ここで、上記の濾板(300)は、版体（板状体）を打孔して構成したり多数の棒を配列して構成できることで、固形燃料が抜け出ないほどの通孔(310)が用意されるということならば良い。
【００３１】
一方、図5の図示のように上記の煙筒部(200)を据え置き固定設置できるように据置台(400)がさらに具備されるが、上記の据置台(400)は地面に支持されるプレート形態の支持板(410)と、上記の支持板(410)の両断で垂直突出形成される対抗される一組の据置版(420)で構成できることで、キャンピングなどの野外で移動用で暖炉(1)を設置する時に適用することができる。
【００３２】
また、図6の図示のように上記の煙筒部(200)を函体形態の金属材の外筒体(500)で締め切ることができることなのに、この時、外筒体(500)の内部には熱気誘導管(210)が受容されるように構成して、外筒体(500)には内部の開閉が可能なドア(510)を形成すれば良いことで、これは、農業・畜産業などのような産業現場で固定用で暖炉(1)を設置する時に適用することができる。
【００３３】
以下、上記のような構成を持つ本発明のＵ字の管体形の携帯用暖炉の作用を添付された図面を参照して詳細に説明する。
【００３４】
上記のように本発明のＵ字の管体形の携帯用暖炉(1)は、燃焼部(100)と煙筒部(200)が分離された構造を持っていると同時にすらりとした管体の形態で構成されたことで、そのキャンピングなどの野外活動の時その携帯が非常に容易で、簡単な組み立てによってその使用が可能で使用上でも非常に便利である。
【００３５】
詳細に説明すれば、本発明の暖炉(1)を携帯および保管の時には燃焼部(100)と、煙筒部(200)と濾版(300)をそれぞれ分離して保管および携帯すれば良いことで、本発明の暖炉(1)をキャンピングなどの野外活動で使用の時には前述した通り熱気誘導管(210)の一側上段に形成された燃焼部の結合段差(211)に濾版(300)を安着設置および燃焼部(100)の下段を挟んで結合すれば良い。
【００３６】
それゆえ、上記の通りに結びついた暖炉(1)は、野外設置環境により別途の据え置きの手段(図面の中に未図示する)を具備して固定設置できるし、本発明の実施例にともなう据置台(400)を利用して設置できる。
【００３７】
すなわち、図5の図示のように据置台(400)を使用の時には、両側の据置版(420)の上段に形成された管の挿入の溝(421)に煙筒部(200)の熱気誘導管(210)を安着設置することで暖炉(1)の設置が完了する。
【００３８】
以後、暖炉(1)を使うためにはペレットなどの固形燃料を使うことが可能である。燃焼部(100)の上部のホッパー(140)を通じて投入および受け入れ充填することが可能である。受容される固形燃料は濾版(300)の上部面から積層受容される。
【００３９】
以上のように燃料が充填された状態でその固形燃料を着火させることができ、着火時には通常のガストーチ(図面の中に未図示する)を利用して燃焼部(100)の下部に形成された点火孔(130)を通じて固形燃料を着火させることが可能である。
【００４０】
それゆえ、着火された固形燃料は燃焼部(100)の内部で下部から次第に燃焼が行われるものであり、その燃焼状態は点火孔(130)を通じて確認できる。
【００４１】
また、上記の固形燃料が燃焼の時の点火孔(130)を通じて火炎が外部で排出される。この時、火炎誘導板(120)はその排出される火炎が外部へ出されるのを防ぎ、かつ熱気を集める集熱へ役割を遂行できる。
【００４２】
また、上記のように固形燃料が燃焼時のその熱気および煙気は濾版(300)の通孔(310)を通じて煙筒部(200)に移動することになることで、これに対し煙筒部(200)の熱気誘導管(210)および排出管(220)では熱が放出されて周辺の暖房を遂行できる。移動する熱気に含まれた煙気および内部の空気は排出管(220)を通じて外部へ排出される。
【００４３】
一方、排出管(220)には煙気および内部空気の排出量を調節できる。これは排出管(220)の上部に形成されたダンパー(221)を利用すれば良く、回転レバー(223)の回転作動によって排出管(220)の内部のディスク(222)が回転およびその開閉程度の調節が可能で、それゆえ、煙気および空気の排出量の調節により燃焼部(100)に進入する空気量を調整して火力調節が可能になる。
【００４４】
また、上記のように固形燃料が燃焼する過程で完全燃燒の後の残った残滓は濾版(300)の通孔(310)を通じて熱気誘導管(210)へ自由落下する。この時、落下する残滓は熱気誘導管(210)の下部に集められ、集められた残滓は開閉版(213)の開放で残滓の排出口(212)を通じて排出することが可能である。
【００４５】
以上のように本発明のＵ字の管体形の携帯用暖炉はその携帯および使用が便利でキャンピングなどの野外活動で非常に効率的に使用しうるものである。
【００４６】
一方、本発明のＵ字の管体形の携帯用暖炉は、図6に示すように外筒体(500)に設置して使用できる。これは、農業・畜産業などとような産業現場での使用に適合した形態であり、その使用方法は上述の実施例と同様である。
【００４７】
ただ、固形燃料の燃焼過程で熱気誘導管(210)に伝えられて放出される熱気は外筒体(500)を通じて外部に放出されるので、その放出面積が広がり、これで広い面積の暖房が可能になる。
【００４８】
以上のように本発明のＵ字の管体形の携帯用暖炉はその携帯および取り扱いが容易ながらも多様な適用が可能になる。
【符号の説明】
【００４９】
100・・・燃焼部 
110・・・垂直管
120・・・火炎誘導板
130・・・点火孔
140・・・ホッパー
200・・・煙筒部
210・・・熱気誘導管
211・・・燃焼部の結合段差
212・・・残滓排出口
213・・・開閉版
214・・・ガイドレール
220・・・排出管
221・・・ダンパー
222・・・ディスク
223・・・回転レバー
300・・・濾版
310・・・通孔
400・・・据置台
410・・・支持版
420・・・据置版
421・・・管の挿入溝
500・・・外筒体
510・・・ドア
【図１】
2014190689.tif 000003
【図２】
2014190689.tif 000004
【図３】
2014190689.tif 000005
【図４】
2014190689.tif 000006
【図５】
2014190689.tif 000007
【図６】
2014190689.tif 000008